【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
第１メディアのコピーを提供する、コンピュータを用いた方法であって、
第１メディアを第２メディアと共にユーザに対して提供している間に、ユーザが前記第１メディアに関する情報を要求できるようにする、要求許可工程と、
ユーザの要求に応答して、前記第１メディアに関する情報を前記ユーザに提供する工程であって、前記情報は前記第１メディアのコピーの購入を許可している、提供工程と、
前記第１メディアの少なくとも１つのコピーをユーザが購入できるようにする、第１メディアコピー購入許可工程とを備えた、第１メディアコピー提供方法。
【請求項２】
請求項１において、前記第１メディアがバックグラウンド音声データであり、前記第２メディアが映像データである、第１メディアコピー提供方法。
【請求項３】
請求項２において、前記音声データおよび前記映像データが、動画像エクスパートグループフォーマットに準拠している、第１メディアコピー提供方法。
【請求項４】
請求項１において、前記第１メディアおよび前記第２メディアが、コンピュータ読取り可能メモリに格納されている、第１メディアコピー提供方法。
【請求項５】
請求項４において、前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、第１メディアコピー提供方法。
【請求項６】
請求項１において、前記第１メディアおよび前記第２メディアがネットワークを介して配信される、第１メディアコピー提供方法。
【請求項７】
請求項６において、前記ネットワークが、ケーブルネットワーク、衛星ネットワーク、コンピュータネットワーク、光ネットワーク、および無線ネットワークのうちの任意の１つまたは任意の組み合わせである、第１メディアコピー提供方法。
【請求項８】
請求項１において、前記提供工程が、前記第１メディアのコピーが購入可能であることの表示のみを提供する工程を有する、第１メディアコピー提供方法。
【請求項９】
請求項１において、前記提供工程が、前記第１メディアのコピーの説明および価格の表示を提供する方式で、前記第１メディアに関する情報をユーザに対して表示する工程を有する、第１メディアコピー提供方法。
【請求項１０】
請求項１において、前記提供工程が、推奨情報をユーザに提供する工程を有する、第１メディアコピー提供方法。
【請求項１１】
請求項１０において、前記推奨情報は第３メディアに関する情報を含み、前記第３メディアは前記第１メディアに関連しており、さらに、
前記第３メディアのコピーをユーザが購入できるようにする、第３メディアコピー購入許可工程を備えた、第１メディアコピー提供方法。
【請求項１２】
請求項１１において、前記第３メディアが、音声データ、映像データ、コンサートチケット、書籍、雑誌の定期購読、および音楽クラブ加入のうちのいずれかである、第１メディアコピー提供方法。
【請求項１３】
請求項１１において、前記第３メディアコピー購入許可工程が、前記第３メディアの前記コピーを再生リストに追加する工程を有する、第１メディアコピー提供方法。
【請求項１４】
請求項１１において、前記第３メディアコピー購入許可工程が、前記第３メディアの前記コピーのユーザ装置へのダウンロードを可能にする工程を有する、第１メディアコピー提供方法。
【請求項１５】
請求項１４において、前記ユーザ装置が、携帯電話、移動通信装置、デジタルメディアプレーヤ、コンピュータ、およびラップトップのうちの任意の１つまたは任意の組み合わせである、第１メディアコピー提供方法。
【請求項１６】
請求項１において、前記第１メディアコピー購入許可工程が、前記第１メディアの前記コピーを再生リストに追加する工程を有する、第１メディアコピー提供方法。
【請求項１７】
請求項１において、前記第１メディアコピー購入許可工程が、前記第１メディアの前記コピーのユーザ装置へのダウンロードを可能にする工程を有する、第１メディアコピー提供方法。
【請求項１８】
請求項１７において、前記ユーザ装置が、携帯電話、移動通信装置、デジタルメディアプレーヤ、コンピュータ、およびラップトップのうちの任意の１つまたは任意の組み合わせである、第１メディアコピー提供方法。
【請求項１９】
第１メディアのコピーを提供する、コンピュータを用いた装置であって、
第１メディアおよびこの第１メディアに関連する第２メディアを提示するディスプレイユニット上に提供されるインジケータであって、前記第１メディアに関する情報が利用可能であることをユーザに示すインジケータと、
コントローラを介して前記インジケータとのユーザの相互作用を可能にするユーザインタフェースであって、前記インジケータとのユーザの相互作用に応答して、前記第１メディアのコピーをユーザが購入できるようにするユーザインタフェースとを備えた、第１メディアコピー提供装置。
【請求項２０】
請求項１９において、前記第１メディアがバックグラウンド音声データであり、前記第２メディアが映像データである、第１メディアコピー提供装置。
【請求項２１】
請求項２０において、前記音声データおよび前記映像データが、動画像エクスパートグループフォーマットに準拠している、第１メディアコピー提供装置。
【請求項２２】
請求項１９において、前記第１メディアおよび前記第２メディアが前記ディスプレイユニットに接続されたコンピュータ読取り可能メモリに格納されており、
前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、第１メディアコピー提供装置。
【請求項２３】
請求項１９において、前記コントローラは、前記ディスプレイユニットのリモートコントローラまたは他のコントローラ、携帯電話、移動通信装置、デジタルプロセッサ入力装置、およびメディアプレーヤコントローラのうちのいずれかである、第１メディアコピー提供装置。
【請求項２４】
請求項１９において、前記第１メディアおよび前記第２メディアが、前記ディスプレイユニットに接続されたネットワークを介して配信される、第１メディアコピー提供装置。
【請求項２５】
請求項２３において、前記ネットワークが、ケーブルネットワーク、衛星ネットワーク、コンピュータネットワーク、光ネットワーク、および無線ネットワークのうちの任意の１つまたは任意の組み合わせである、第１メディアコピー提供装置。
【請求項２６】
請求項１９において、前記第１メディアに関する前記情報が、前記第１メディアのコピーが購入可能であることの表示のみである、第１メディアコピー提供装置。
【請求項２７】
請求項１９において、前記第１メディアに関する前記情報が、前記第１メディアのコピーの説明および価格を含む、第１メディアコピー提供装置。
【請求項２８】
請求項１９において、前記第１メディアに関する前記情報が、前記第１メディアに関する推奨情報を含む、第１メディアコピー提供装置。
【請求項２９】
請求項２８において、前記第１メディアに関する前記推奨情報は第３メディアに関する情報を含み、前記第３メディアは前記第１メディアに関連しており、
前記ユーザインタフェースが、さらに、前記第３メディアのコピーをユーザが購入できるようにする、第１メディアコピー提供装置。
【請求項３０】
請求項２９において、前記第３メディアが、音声データ、映像データ、コンサートチケット、書籍、雑誌の定期購読、および音楽クラブ加入のうちのいずれかである、第１メディアコピー提供装置。
【請求項３１】
請求項２９において、前記ユーザインタフェースが、さらに、前記第３メディアのコピーを再生リストに追加するように構成されている、第１メディアコピー提供装置。
【請求項３２】
請求項２９において、前記ユーザインタフェースが、さらに、前記第３メディアのコピーをユーザ装置にダウンロードするように構成されている、第１メディアコピー提供装置。
【請求項３３】
請求項３２において、前記ユーザ装置が、携帯電話、移動通信装置、デジタルメディアプレーヤ、コンピュータ、およびラップトップのうちの任意の１つまたは任意の組み合わせである、第１メディアコピー提供装置。
【請求項３４】
請求項１９において、前記ユーザインタフェースが、さらに、前記第１メディアのコピーを再生リストに追加するように構成されている、第１メディアコピー提供装置。
【請求項３５】
請求項２０において、前記ユーザインタフェースが、さらに、前記第１メディアのコピーをユーザ装置にダウンロードするように構成されている、第１メディアコピー提供装置。
【請求項３６】
請求項３５において、前記ユーザ装置が、携帯電話、移動通信装置、デジタルメディアプレーヤ、コンピュータ、およびラップトップのうちの任意の１つまたは任意の組み合わせである、第１メディアコピー提供装置。
【請求項３７】
メディアを配信する方法であって、
メディア作品をユーザに提供するサービスに関して、ユーザのユーザアカウントを管理する、管理工程と、
対象メディアを、ユーザに対して提供されている別のメディアと共に提供する、提供工程と、
前記別のメディアを提示している間に、前記対象メディアを前記ユーザが選択できるようにする、対象メディア選択許可工程と、
前記対象メディアの前記選択に応じて前記ユーザアカウントを更新する、更新工程とを備え、前記各工程がコンピュータで実現される、メディア配信方法。
【請求項３８】
請求項３７において、前記管理工程が、ユーザにパスワードを提供する工程を有し、
前記対象メディア選択許可工程が、前記パスワードを用いて前記選択を許可する工程を有する、メディア配信方法。
【請求項３９】
請求項３７において、前記管理工程が、複数のユーザプロファイルを備えるユーザアカウントを管理する工程を有する、メディア配信方法。
【請求項４０】
請求項３７において、前記対象メディアがバックグラウンド音声データであり、前記別のメディアが映像データである、メディア配信方法。
【請求項４１】
請求項４０において、前記音声データおよび前記映像データが、動画像エクスパートグループフォーマットに準拠している、メディア配信方法。
【請求項４２】
請求項３７において、前記対象メディアおよび前記別のメディアが、コンピュータ読取り可能メモリを介して提供され、
前記コンピュータ読取り可能メモリが、半導体メモリ、固体メモリ、フラッシュメモリ、磁気テープ、着脱可能なコンピュータディスケット、ランダムアクセスメモリ、読み出し専用メモリ、デジタル映像ディスク、コンパクトディスク、ＣＤ‐ＲＯＭ、ホログラフィックメモリ、またはハードディスクのうちのいずれかである、メディア配信方法。
【請求項４３】
請求項３７において、前記対象メディアおよび前記別のメディアがネットワークを介して配信され、
前記ネットワークが、ケーブルネットワーク、衛星ネットワーク、コンピュータネットワーク、光ネットワーク、または無線ネットワークのうちのいずれかである、メディア配信方法。
【請求項４４】
請求項３７において、前記別のメディアを提示している間に、前記対象メディア選択許可工程が、前記対象メディアに関する情報をユーザが受信できるようにする工程を有し、
前記対象メディアに関する前記情報が、前記対象メディアのコピーの説明および価格を含む、メディア配信方法。
【請求項４５】
請求項４４において、前記対象メディアに関する前記情報が、さらに、前記対象メディアに関する推奨情報を含む、メディア配信方法。
【請求項４６】
請求項４４において、前記対象メディアに関する前記情報が、第３メディアに関する情報を含み、前記第３メディアが、音声データ、映像データ、コンサートチケット、書籍、雑誌の定期購読、および音楽クラブ加入のうちのいずれかであり、さらに、
前記第３メディアを前記ユーザが選択できるようにする、第３メディア選択許可工程と、
前記第３メディアの前記選択に応じて前記ユーザアカウントを更新する、更新工程とを備えた、メディア配信方法。
【請求項４７】
請求項４６において、前記第３メディアの前記選択に応じて前記ユーザアカウントを更新する更新工程が、前記第３メディアのコピーを再生リストに追加する工程を有する、メディア配信方法。
【請求項４８】
請求項４６において、前記第３メディアの前記選択に応じて前記ユーザアカウントを更新する更新工程が、前記第３メディアのコピーのユーザ装置へのダウンロードを可能にする工程を有する、メディア配信方法。
【請求項４９】
請求項４８において、前記ユーザ装置が、携帯電話、移動通信装置、デジタルメディアプレーヤ、コンピュータ、およびラップトップのうちの任意の１つまたは任意の組み合わせである、メディア配信方法。
【請求項５０】
請求項３７において、前記対象メディアの前記選択に応じて前記ユーザアカウントを更新する更新工程が、前記対象メディアのコピーを再生リストに追加する工程を有する、メディア配信方法。
【請求項５１】
請求項３７において、前記対象メディアの前記選択に応じて前記ユーザアカウントを更新する更新工程が、前記第１メディアのコピーのユーザ装置へのダウンロードを可能にする工程を有する、メディア配信方法。
【請求項５２】
請求項５１において、前記ユーザ装置が、携帯電話、移動通信装置、デジタルメディアプレーヤ、コンピュータ、およびラップトップのうちの任意の１つまたは任意の組み合わせである、メディア配信方法。
【請求項５３】
少なくとも１つのユーザアカウントを管理する管理サーバと、
対象メディアおよび別のメディアを共にディスプレイユニットを介してユーザに提供するメディアサーバであって、このメディアサーバは前記ディスプレイユニットと通信して前記提供を行うものであり、前記ディスプレイユニットは、前記別のメディアを提示している間に、前記対象メディアのコピーをユーザが選択できる形式で前記対象メディアを前記別のメディアと共に前記ユーザに提示するものである、メディサーバとを備え、
前記管理サーバが、さらに、前記ユーザの選択に応じて前記ユーザアカウントを更新するように構成されている、メディア配信システム
【請求項５４】
請求項５３において、前記管理サーバは、さらに、ユーザにパスワードを提供するように構成されており、
ユーザの選択は前記パスワードを使用して許可される、メディア配信システム。
【請求項５５】
請求項５３において、前記管理サーバは、さらに、複数のユーザプロファイルを備えるユーザアカウントを管理するように構成されている、メディア配信システム。
【請求項５６】
請求項５３において、前記対象メディアがバックグラウンド音声データであり、前記別のメディアが映像データである、メディア配信システム。
【請求項５７】
請求項５６において、前記音声データおよび前記映像データが、動画像エクスパートグループフォーマットに準拠している、メディア配信システム。
【請求項５８】
請求項５３において、前記メディアサーバが、さらに、前記対象メディアに関する情報をユーザに提供するように構成されており、前記情報は、前記対象メディアのコピーの説明および価格を含む、メディア配信システム。
【請求項５９】
請求項５３において、さらに、
前記対象メディアに関する推奨情報をユーザに提供するように構成された推奨エンジンを備えた、メディア配信システム。
【請求項６０】
請求項５９において、前記推奨情報は第３メディアの表示を含み、前記第３メディアは、音声データ、映像データ、コンサートチケット、書籍、雑誌の定期購読、および音楽クラブ加入のうちのいずれかである、メディア配信システム。
【請求項６１】
請求項６０において、前記管理サーバが、さらに、前記第３メディアのユーザ選択に応じて、前記第３メディアのコピーを前記ユーザアカウントに対応する再生リストに追加するように構成されている、メディア配信システム。
【請求項６２】
請求項６０において、前記管理サーバが、さらに、前記第３メディアのコピーをユーザ装置にダウンロードさせるように構成されている、メディア配信システム。
【請求項６３】
請求項６２において、前記ユーザ装置が、携帯電話、移動通信装置、デジタルメディアプレーヤ、コンピュータ、およびラップトップのうちの任意の１つまたは任意の組み合わせである、メディア配信システム。
【請求項６４】
請求項５３において、前記管理サーバが、さらに、前記対象メディアのユーザ選択に応じて、前記対象メディアのコピーを前記ユーザアカウントに対応する再生リストに追加するように構成されている、メディア配信システム。
【請求項６５】
請求項５３において、前記管理サーバが、さらに、ユーザ選択に応じて、前記対象メディアのコピーをユーザ装置にダウンロードさせるように構成されている、メディア配信システム。
【請求項６６】
請求項６５において、前記ユーザ装置が、携帯電話、移動通信装置、デジタルメディアプレーヤ、コンピュータ、およびラップトップのうちの任意の１つまたは任意の組み合わせである、メディア配信システム。
【請求項６７】
音声データをタグ付けする方法であって、
音声データから構成されている音声作品の少なくともアーティスト情報に基づいて識別子を提供する工程と、
前記音声データと前記識別子とを有効に結合する工程と、
前記音声作品の転送中に前記音声データ内の識別子へのアクセスを提供する工程とを備えた、音声データタグ付け方法。
【請求項６８】
請求項６７において、前記音声作品が、第２メディアにおいて流れるバックグラウンド音楽である、音声データタグ付け方法。
【請求項６９】
請求項６８において、前記音声データは動画像エクスパートグループフォーマットに準拠しており、前記第２メディアが映像データである、音声データタグ付け方法。
【請求項７０】
音声データをタグ付けする装置であって、
少なくとも第１メディアを格納するように構成されたメモリと、
前記メモリの一部と識別子とを有効に結合する第１プロセスであって、前記識別子は前記第１メディアのアーティスト情報に基づいている、第１プロセスと、
前記第１メディアの転送中に前記メモリの前記一部における前記識別子にアクセスできるようにする第２プロセスとを備えた、音声データタグ付け装置。
【請求項７１】
請求項７０において、前記第１メディアが、第２メディアにおいて流れるバックグラウンド音楽を構成している、音声データタグ付け装置。
【請求項７２】
請求項７１において、前記音声データが動画像エクスパートグループフォーマットに準拠しており、前記第２メディアは映像データである、音声データタグ付け装置。
【請求項７３】
ユーザインタフェースを作動するように構成されたエンドユーザユニットを備え、
前記ユーザインタフェースは、ユーザに対して提供されている別のメディアを通して対象メディアのユーザ選択を可能にするものであり、これにより前記対象メディアのユーザ選択が、前記別のメディアをユーザに対して提供している間になされる、制御システム。
【請求項７４】
請求項７３において、前記別のメディアは映像作品であり、前記対象メディアは前記映像作品のバックグラウンド音声部分である、制御システム。
【請求項７５】
請求項７３において、前記別のメディアは対応するバックグラウンド音声を有する映像作品であり、前記対象メディアは、前記対応するバックグラウンド音声と共通する、アーティスト、音楽グループ名、歌の題名、および音楽ジャンルのいずれかを有する、制御システム。
【請求項７６】
請求項７５において、前記対象メディアが、音声データのコピー、映像データのコピー、コンサートチケット、書籍、雑誌の定期購読、および音楽クラブ加入のうちのいずれかである、制御システム。
【請求項７７】
請求項７３において、前記エンドユーザユニットが、携帯電話、デジタル音楽プレーヤ、リモートコントローラ、コンピュータ入力装置、および移動通信装置のうちのいずれかである、制御システム。
【請求項７８】
請求項７３において、前記別のメディアは、携帯電話、デジタルメディアプレーヤ、テレビジョン、コンピュータディスプレイ、およびデジタルフレームのうちのいずれかでユーザに対して提供される、制御システム。